(57)【要約】  レンズは、入光面と、出射面と、側面と、を有する。入光面は光源の近傍に配置されるかまたは光源に接触している。出射面は入光面の反対側に設けられている。側面は、入光面から入射した光線を全反射する曲面状の全反射面を有する。この全反射面は、全反射面で反射した光線が出射面から所定角度内に集束するように構成されている。
2011024427.tif 000002
【特許請求の範囲】
【請求項１】
光源の近傍に配置されるかまたは前記光源に接触する入光面と、
前記入光面の反対側に設けられた出射面と、
前記入光面から入射した光線を全反射する曲面状の全反射面を有する側面と、を備え、
前記全反射面で反射した光線が前記出射面から所定角度内に集束するように前記全反射面が構成されている、
レンズ。
【請求項２】
前記光源の中心から前記入光面に入射する光線の前記レンズの光軸に対する角度をθ１、前記出射面から出て行く光線の前記出射面の法線に対する角度をθ２、θ１の入射角で前記入光面から前記レンズに入射した光線が当たる前記全反射面の外接線が、前記レンズの前記光軸に垂直な水平軸と成す角度をθｒ、前記レンズの屈折率をｎとするとき、
θ２＜４５°、θ１＞θ２、３０°＜θ１＜９０°を満たすとともに、条件式（１）を満たすように形成されている、
請求項１記載のレンズ。
【数１】
2011024427.tif 000005
【請求項３】
半導体発光素子で構成された光源と、
前記光源の出射面側に配置された請求項１記載のレンズと、を備えた、
半導体発光素子モジュール。
【請求項４】
前記光源の中心から前記入光面に入射する光線の前記レンズの光軸に対する角度をθ１、前記出射面から出て行く光線の前記出射面の法線に対する角度をθ２、θ１の入射角で前記入光面から前記レンズに入射した光線が当たる前記全反射面の外接線が、前記レンズの前記光軸に垂直な水平軸と成す角度をθｒ、前記レンズの屈折率をｎとするとき、
θ２＜４５°、θ１＞θ２、３０°＜θ１＜９０°を満たすとともに、条件式（１）を満たすように形成されている、
請求項３記載の半導体発光素子モジュール。
【数１】
2011024427.tif 000006
【発明の詳細な説明】
【技術分野】
【０００１】
本発明は、光源からの光を入射する入光面と、入光面に入ってきた光を物体側に照射するための出射面とを有するレンズと、それを用いた半導体発光素子モジュールに関する。
【背景技術】
【０００２】
携帯電話でのカメラ撮影用の光源として発光ダイオード（ＬＥＤ）等の半導体発光素子が点光源として用いられている。そしてＬＥＤ等の点光源から発せられる光を有効に活用するために、できるだけ多くの光を平行光として出射させるコリメータレンズが利用されている（例えば、特許文献１参照）。【０００３】
特許文献１に開示されたコリメータレンズには、ＬＥＤが入り込むことができる空間を形成するための凹部が形成されている。この凹部は、ＬＥＤの光軸と対向する位置に曲面で構成された第１面と、曲面に構成された屈折内壁とで囲まれている。第１面は光をレンズに取り込むための入光面を形成している。屈折内壁はＬＥＤからの光のうち光軸から横外方へ外れる光をレンズに取り込むために設けられている。そして凹部から外側に大きく拡がって形成される外面には全反射曲面が形成されている。【０００４】
しかしながら、この構成では、凹部とこの凹部よりも外側に大きく広がる外面の２つの主構成が必要である。そのため、幅を小さくすることができず、コリメータレンズそのものが大型になる。
【先行技術文献】
【特許文献】
【０００５】
【特許文献１】特開２００４−５１６６８４号公報
【発明の概要】
【０００６】
本発明は、小型化できるレンズとそれを用いた半導体発光素子モジュールである。本発明によるレンズは、入光面と、出射面と、側面とを有する。入光面は光源の近傍に配置されるかまたは光源に接触している。出射面は入光面の反対側に設けられている。側面は、入光面から入射した光線を全反射する曲面状の全反射面を有する。この全反射面は、全反射面で反射した光線が出射面から所定角度内に集束するように構成されている。
【０００７】
この構成では、入光面と出射面との間が本体部になっていることから、従来のような凹部内の無駄な空間を形成することが不要になり、その分レンズの横方向の大きさを抑えることができる。したがって従来のコリメータレンズのように大型化することを抑制し、小型化を実現することができる。しかも、本体部の外側面の少なくとも一部に形成された曲面状の全反射面で反射した光が出射面からレンズの光軸を中心として所定角度内に集束する。そのため、ＬＥＤ等の点光源から発せられる光を有効に活用することができる。
【図面の簡単な説明】
【０００８】
【図１】図１は本発明の実施の形態による半導体発光素子モジュールを示す拡大側面図である。
【図２】図２は図１で示した半導体発光素子モジュールのレンズの配向を示す説明図である。
【図３Ａ】図３Ａは図２に示したレンズの平面図である。
【図３Ｂ】図３Ｂは図２に示したレンズの左側面図である。
【図３Ｃ】図３Ｃは図２に示したレンズの正面図である。
【図４】図４は本発明の実施の形態による半導体発光素子モジュールに用いる別のレンズの配向を示す説明図である。
【図５Ａ】図５Ａは図４に示したレンズの平面図である。
【図５Ｂ】図５Ｂは図４に示したレンズの左側面図である。
【図５Ｃ】図５Ｃは図４に示したレンズの正面図である。
【図５Ｄ】図５Ｄは図４に示したレンズの縦断面図である。
【発明を実施するための形態】
【０００９】
図１は、本発明の実施の形態による半導体発光素子モジュールの構成を示す拡大側面図である。図２は図１で示した半導体発光素子モジュールのレンズの配向を示す説明図である。図３Ａ、図３Ｂ、図３Ｃはそれぞれ、図２に示したレンズの平面図、左側面図、正面図である。この半導体発光素子モジュールは、例えば基板（図示せず）に実装される例えば発光ダイオード（ＬＥＤ）で構成された光源（点光源）１と、光源１の出射面１Ａの側の前方に配置されたレンズ２とで構成されている。チップ型のＬＥＤで構成された光源１はリフレクタを有する。このリフレクタの形状は、平面視において円形の他、楕円形や角形あるいは多角形などのものを用いることができる。このような半導体発光素子モジュールは携帯電話などに内蔵される。
【００１０】
レンズ２は、樹脂などにより一体成型されている。レンズ２は、入光面３と出射面５と側面１０とを有する本体部４と、フランジ部８とを有する。
【００１１】
平面の入光面３は光源１にほぼ接触している。「ほぼ接触」とは、入光面３に対して光源１の出射面１Ａを出来る限り近付けて入光面３と光源１の出射面１Ａとの間に小さな隙間が発生している状態を言うが、入光面３に対して光源１の出射面１Ａを接触させる場合も含む。すなわち入光面３は、光源１の近傍に配置されるかまたは光源１に接触している。
【００１２】
本体部４は入光面３から物体側へ延び、平面の出射面５は本体部４の物体側の端面に形成されている。すなわち、出射面５は入光面３の反対側に設けられている。
【００１３】
入光面３と出射面５との間に設けられた側面１０は、外向きに凸な曲面状の全反射面６Ａと円柱面７Ａとで構成されている。すなわち、側面１０は、入光面３から入射した光を全反射する曲面状の全反射面６Ａを有する。
【００１４】
つまり、図１、図２、図３Ａ、図３Ｂ、図３Ｃに示すように、本体部４は、入光面３と同一径にて形成された円柱部７と、円柱部７の出射面５側に設けられた樽状部６とを有する。樽状部６の側面は、円柱部７の側面である円柱面７Ａよりも光軸Ｋ方向で長い所定長さを有する全反射面６Ａで構成されている。樽状部６の側面は、上方に位置するほど径が少しずつ大きくなる緩やかな曲面になっている。具体的には、全反射面６Ａで反射した光線が出射面５から所定角度内に集束するように全反射面６Ａが構成されている。すなわち、樽状部６は、全反射面６Ａで反射した光が出射面５から所定角度範囲内、例えば出射面５から出て行く光線の出射面５の法線Ｈに対する角度をθ２とするとθ２＜４５°の範囲に集束するように構成されている。
【００１５】
角形のフランジ部８はレンズ２を図示していない筐体に固定するために設けられている。フランジ部８は、樽状部６の出射面５側端に形成されている。
【００１６】
本体部４の構成により、レンズ２を小型化しながらも、光源１（ここではＬＥＤ）から発せられる光を有効に活用することができる。
【００１７】
より具体的には、本体部４が下記条件式を満たすことが好ましい。つまり、光源１の中心から入光面３に入射する光線のレンズ２の光軸Ｋに対する角度をθ１とする。θ１の入射角で入光面３からレンズ２に入射した光線が当たる全反射面６Ａの外接線Ｓが、光軸Ｋに垂直な水平軸Ｎと成す角度をθｒとする。またレンズ２の屈折率をｎとする。このとき、θ２＜４５°、θ１＞θ２、３０°＜θ１＜９０°であって、かつ条件式（１）を満たすことが好ましい。
【００１８】
【数１】
2011024427.tif 000003
【００１９】
このような関係を満たすように樽状部６を形成することにより、光源１から発せられる光を小型のレンズ２で有効に活用することができる。
【００２０】
上述の関係を満たすレンズ２を用いた場合に、入光面３から入ってきた光が、樽状部６の全反射面６Ａに反射され、出射面５から出て行く場合の各面における光の角度の一例を表１に示す。なお、レンズ２の屈折率ｎは１．４９としている。
【００２１】
【表１】
2011024427.tif 000004
【００２２】
θ１＝９０°とは光軸Ｋに垂直な方向なので、点光源である光源１からこの方向には光線は発せられない。またレンズ２を構成する材料の屈折率は一般的に１．４〜１．７程度であるため、θ１＝３０°の場合には、入光面３から入射した光線の進む方向と光軸Ｋとが成す角度はかなり小さくなる。したがってこのような光線が全反射面６Ａに当たるためには樽状部６の光軸Ｋに沿った方向の長さを大きくする必要がある。すなわちレンズ２が大きくなる。したがって３０°＜θ１＜９０°の範囲でθ２がある程度の範囲になっていれば、小型のレンズ２で適度に集光できると言える。表１より、θ２は±３０°以内に収まっている。
【００２３】
また、図２はレンズ２に入ってきた光の配向を示している。図２より、光軸Ｋの中心部側に出射される光線の数がそれよりも外側に出射される光線の数よりも多くなっていることが理解できる。このように樽状部６が上述の関係を満たすことにより、有効に集光できることがわかる。
【００２４】
なお図１に示す構成では、入光面３を平面に形成しているが、本発明はこれに限定されない。図４及び図５Ａ〜図５Ｄに示すように、光源１の出射面１Ａを覆うように凹んだ凹部９を形成してもよい。図４は本発明の実施の形態による半導体発光素子モジュールに用いる別のレンズの配向を示す説明図である。図５Ａ、図５Ｂ、図５Ｃ、図５Ｄはそれぞれ、図４で示したレンズの平面図、左側面図、正面図、縦断面図である。
【００２５】
レンズ１２は、レンズ２と同様に、樹脂などにより一体成型され、本体部１４とフランジ部１８とを有する。本体部１４は、平面の出射面１５と、曲面の全反射面で構成された側面１６Ａとを有し、出射面１５の裏側に凹部９が形成されている。本体部１４は、出射面１５に向かう上方になるほど徐々に径が大きくなっている。凹部９は入光面を構成している。
【００２６】
凹部９は、光源１の出射面１Ａに対向する上壁面９Ａと、光源１の出射面１Ａから横側へ出射される光を受ける周壁面９Ｂとに囲まれて構成されている。上壁面９Ａは、光軸Ｋに近いほど下方に位置する緩やかな曲面で構成されている。周壁面９Ｂは、光源１から遠ざかり上方に向かうほど光軸Ｋに近付く緩やかな曲面に構成されている。
【００２７】
図４は光の配向を示している。この場合も、光軸Ｋ側に出射される光線の数がそれよりも外側に出射される光線の数よりも多くなっていることがわかる。
【００２８】
図４に示すようにレンズ１２に凹部９を設けた場合でも、前述の条件式を満足するようにレンズ１２を作製することによって、本体部１４の外方側へ光が広がるのを抑えることができる。したがって、レンズ１２の大型化を抑制しながら、光源１（ここではＬＥＤ）から発せられる光を有効に活用することができる。
【００２９】
図５Ａでは、フランジ部１８が、図３Ａに示すフランジ部８の角形ではなく、円形になっているが、フランジ部８、１８の形状は、その他各種の形状であってもよい。また、フランジ部８、１８の上面にさらに円柱状部をさらに設けてもよい。また、フランジ部８、１８を省略して本体部４、１４のみでレンズ２、１２を構成してもよい。
【００３０】
また図１に示すレンズ２の本体部４は、本体部４を樽状部６と円柱部７で構成されているが、樽状部６のみで構成し図４に示すレンズ１２の本体部１４のように外側面の全域を全反射面６Ａで構成してもよい。円柱部７は図２に示すように本体部４内を通る光線に影響しない部分であり、形状の制約はない。本実施の形態では、円柱部７はレンズ２を装着する基板などの被装着体に対して位置決めするために設けられている。すなわち、被装着体に設けられた貫通孔に円柱部７を挿入することで被装着体に対してレンズ２を位置決めすることができる。
【００３１】
また、光源１をＬＥＤで構成した例を示したが、半導体レーザ素子などで光源１を構成してもよい。
【００３２】
なお、本発明は上記実施の形態に限定されるものではなく、本発明の要旨を逸脱しない範囲内において種々の変更を加えてもよい。
【産業上の利用可能性】
【００３３】
本発明のレンズは、入光面と出射面とをつなぐ側面の少なくとも一部が入光面から入射した光線を全反射する曲面状の全反射面で構成されている。そして、この全反射面で反射した光が出射面から所定角度内に集束するように全反射面の曲面形状が構成されている。この構成によって、レンズを小型化することができる。このレンズやそれを用いた半導体発光素子モジュールは、カメラ機能を備えた携帯電話機、デジタルカメラ、監視用カメラ、車載カメラ等の分野で有用である。
【符号の説明】
【００３４】
１    光源
１Ａ    出射面
２，１２    レンズ
３    入光面
４，１４    本体部
５，１５    出射面
６    樽状部
６Ａ    全反射面
７    円柱部
８，１８    フランジ部
９    凹部
９Ａ    上壁面
９Ｂ    周壁面
１０，１６Ａ    側面
【図１】
2011024427.tif 000007
【図２】
2011024427.tif 000008
【図３Ａ】
2011024427.tif 000009
【図３Ｂ】
2011024427.tif 000010
【図３Ｃ】
2011024427.tif 000011
【図４】
2011024427.tif 000012
【図５Ａ】
2011024427.tif 000013
【図５Ｂ】
2011024427.tif 000014
【図５Ｃ】
2011024427.tif 000015
【図５Ｄ】
2011024427.tif 000016
【手続補正書】
【提出日】平成23年11月2日(2011.11.2)
【手続補正１】
【補正対象書類名】明細書
【補正対象項目名】０００５
【補正方法】変更
【補正の内容】
【０００５】
【特許文献１】特表２００４−５１６６８４号公報
【発明の概要】
【国際調査報告】
2011024427.tif 000017
2011024427.tif 000018